(57)【要約】【課題】  本発明は、カートリッジ又はビンのメディアサプライの利点を提供できるだけでなく、さらにユーザがメディアサプライを撮像デバイスから取り外さないで保管されたメディアへのアクセスを可能にする、メディアサプライ及び撮像システムを提供することを目的とする。【解決手段】  メディアサプライは、エントリーポートを有する撮像デバイスで使用するために提供される。メディアサプライは、メディアを保持するためのメディア保管エリアを定義するハウジングと、メディアを受けるための開口部と、エントリーポートに対する挿入のために形状化されたデバイスの嵌合表面とを有する。メディアの囲いはハウジングに取り付けられ、メディア保管エリアが開口部によりアクセスできる開口位置と、開口部を封鎖する閉じた位置との間で移動可能である。嵌合表面がエントリーポートに挿入される場合、閉じた位置と開口位置との間でメディアの囲いが移動できるようにメディア保管エリアと、メディアの囲い及び嵌合表面が配置される。【選択図】  図１
2004262655.tif 000002
【特許請求の範囲】
【請求項１】
エントリーポートを有する撮像デバイスで使用するためのメディアサプライであって、該メディアサプライは、
メディアを保持するためのメディア保管エリアを定義するハウジングと、該メディアを受けるための開口部と、前記エントリーポートに対する挿入のために形状化されたデバイスの嵌合表面と、
前記ハウジングに取り付けられ、前記メディア保管エリアが前記開口部によりアクセスできる開口位置と、前記開口部を封鎖する閉じた位置との間で移動可能であるメディアの囲いとからなり、
前記嵌合表面が前記エントリーポートに挿入される場合、前記閉じた位置と前記開口位置との間で前記メディアの囲いが移動できるように前記メディア保管エリアと、前記メディアの囲い及び前記嵌合表面が配置されることを特徴とするメディアサプライ。
【請求項２】
撮像システムであって、該システムは、
エントリーポートを有する撮像デバイスと、及び
メディアを保持するためのメディア保管エリアを定義するハウジングと、前記メディアを受けるための開口部と、前記エントリーポートに対する挿入のために形状化されたデバイスの嵌合表面と、前記ハウジングに取り付けられ、前記メディア保管エリアが前記開口部によりアクセスできる開口位置と、前記開口部を封鎖する閉じた位置との間で移動可能であるメディアの囲いとを有するメディアサプライとからなり、
前記嵌合表面が前記エントリーポートに挿入される場合、前記閉じた位置と前記開口位置との間で前記メディアの囲いが移動できるように前記メディア保管エリアと、前記メディアの囲い及び前記嵌合表面が配置されることを特徴とする撮像システム。
【請求項３】
撮像システムであって、
メディアを保管するためのエリアと撮像デバイスのエントリーポートに挿入するために適用された嵌合表面とを有するハウジング手段と、
前記ハウジング手段に結合されて、前記ハウジング手段で前記メディアへのアクセスを可能にする位置と、前記ハウジング手段で前記メディアへのアクセスを妨害する位置との間で移動可能な囲い手段と、
前記ハウジング手段を受け、前記ハウジング手段から前記保管されたメディアを抜き取り、さらに該システムで撮像操作を実行するために適応される、前記保管されたメディアで撮像操作を実行するための撮像手段とからなり、
前記前記囲い手段は、前記ハウジング手段で前記メディアへのアクセスを可能にする位置と、前記撮像手段が前記ハウジング手段を受ける場合に前記ハウジング手段で前記メディアを保管するためのエリアへのアクセスを妨害する位置との間で移動可能であることを特徴とする撮像システム。
【発明の詳細な説明】
【技術分野】
【０００１】
本発明は、一般的に撮像デバイスに関し、特に、撮像操作のためのメディアを供給するためにメディアサプライトレイを使用する撮像デバイスに関する。
【背景技術】
【０００２】
サーマルプリンタ、インクジェットプリンタ、レーザープリンタ、スキャナ等の撮像デバイスなどの多種の撮像デバイスは、カットシート状の保管されたメディアを受け取る。大抵の場合、かかる撮像デバイスは、メディアを受け、撮像デバイスによって使用するためのメディアを適切に配置するように位置づけされた、ラック、トレイ又は他の構造を有するメディアサプライエリアを有する。かかる撮像デバイスの一例は、米国ニューヨーク州ロチェスターのイーストマンコダックカンパニーから販売されているコダックパーソナルピクチャーメイカー２００インクジェットフォトプリンタである。該パーソナルピクチャーメイカーは、メディアを支持して使用するためのシートメディアを位置づけするペーパーサポートトレイにシートメディアを保持する。かかるペーパーサポートトレイは、プリンタの外側であり、ユーザが紙を加え、紙を取り除き、紙を変更し又はさらに他の紙の管理をするために、ペーパーサポートトレイで紙に自由にアクセスできる開口した形態を有する。
【０００３】
例えば、米国アイダホ州ボイゼのヒューレッドパッカード社から販売されているヒューレッドパッカードレーザージェット５ＳＩなどの別のタイプのプリンタは、メディアを保管するために取り外し可能なビン及びペーパーサポートトレイの組み合わせを使用する。ビンは、装填するためにプリンタから取り外され、装填後にビンはプリンタに再度挿入される。ビンが再挿入された後、ビンはプリンタによって使用するためのメディアの位置を適切に特定の方向に合わせる。これは、大容量のメディアがプリンタに装填されて保管されることを可能にする。例えば、かかるビンは、一般的に、単一の装填操作で５００以上のメディアシートを受けるように適応される。これは、かかるプリンタに装填及び／又は再装填するために必要な時間の多大な削減となる。しかしながら、メディアを変更するか、又はメディアの再順づけが望ましいなど、保管されたメディアにアクセスするために、プリンタからビンを取り外すことが必要とされる。したがって、レーザージェット５ＳＩなどのプリンタは、ほとんどの場合、メディアの個々のシートを受けるために適応された個別のペーパーサポートトレイ及び装填システムと適応される。この個別のペーパーサポート及び装填システムは、装填トレイによってメディアの追加、又は他の形態に容易に適応可能である一方、トレイに単一型のメディアをプリンタが維持するように使用される。しかしながら、そのような個別の装填トレイの使用は、プリンタのコスト、サイズ及び複雑さを増大することが認識されるであろう。
【０００４】
さらに他のタイプのプリンタは、プリンタに完全又は部分的に挿入されたメディアサプライカートリッジを使用する。かかるカートリッジは、上述のトレイの多くの利点を提供する。一般的に、かかるカートリッジは、メディアを保持する構造と、カートリッジ内にメディアを含むようにメディアを保持する構造に結合する分離可能な封じ込め表面とを有するクラムシェル型構造を使用する。かかるクラムシェル型の形態は、メディアを保持する表面から封じ込め表面を分離することによって、クラムシェルにメディアを挿入させる。しかしながら、この分離は、クラムシェルがプリンタから取り外される場合にのみ成される。したがって、かかるプリンタにおいて、上述のクラムシェルカートリッジがプリンタに存在する間、例えば、カートリッジにメディアを装填又は変更するようにカートリッジにメディアをアクセスすることは不可能である。幾つかのプリンタにおいて、封じ込め表面は、メディアを保持する構造にピボット式で接続される。しかしながら、ここでもまた、クラムシェル型カートリッジは、カートリッジがプリンタに位置している場合はピボット式に開くことはできない。
【非特許文献１】ｈｔｔｐ：／／ｈ２０００．ｗｗｗ２．ｈｐ．ｃｏｍ／ｂｃ／ｄｏｃｓ／ｓｕｐｐｏｒｔ／ＳｕｐｐｏｒｔＭａｎｕａｌ／ｂｐｌ０７２８８／ｂｐｌ０７２８８．ｐｄｆ、２００３年５月１９日検索
【非特許文献２】ｗｗｗ．ｋｏｄａｋ．ｃｏｍ／ｇｌｏｂａｌ／ｐｌｕｇｉｎｓ／ａｃｒｏｂａｔ／ｅｎ／ｓｅｒｖｉｃｅ／ｐｒｉｎｔｅｒｓ／ｐｐｍ２００／ｐｐｍ２００ｕｇ．ｐｄｆ、２００３年５月１９日検索
【非特許文献３】ｆｔｐ：／ｆｔｐ．ｉｔａ．ｓｅｌ．ｓｏｎｙ．ｃｏｍ／ｃｃｐｇ／ｖａｉｏａｃｃｅｓｓ／ｄｐｐｓｖ５５．ｐｄｆ、２００３年５月２０日検索
【発明の開示】
【発明が解決しようとする課題】
【０００５】
したがって、本発明は上述の問題に鑑みてなされたものであり、カートリッジ又はビンのメディアサプライの利点を提供できるだけでなく、さらにユーザがメディアサプライを撮像デバイスから取り外さないで保管されたメディアへのアクセスを可能にする、メディアサプライ及び撮像システムを提供することを目的とする。
【課題を解決するための手段】
【０００６】
メディアサプライは、エントリーポートを有する撮像デバイスで使用するために提供される。メディアサプライは、メディアを保持するためのメディア保管エリアを定義するハウジングと、メディアを受けるための開口部と、エントリーポートに対する挿入のために形状化されたデバイスの嵌合表面とを有する。メディアの囲いはハウジングに取り付けられ、メディア保管エリアが開口部によりアクセスできる開口位置と、開口部を封鎖する閉じた位置との間で移動可能である。嵌合表面がエントリーポートに挿入される場合、閉じた位置と開口位置との間でメディアの囲いが移動できるようにメディア保管エリアと、メディアの囲い及び嵌合表面が配置される。
【０００７】
本発明の別の態様によると、撮像システムが提供され、該撮像システムはエントリーポート及びメディアサプライを有する撮像デバイスを有する。メディアサプライは、メディアを保持するためのメディア保管エリアを定義するハウジングと、メディアを受けるための開口部と、エントリーポートに対する挿入のために形状化されたデバイスの嵌合表面とを有する。メディアの囲いはハウジングに取り付けられ、メディアがメディア保管エリアに挿入できる開口位置と、開口部を封鎖する閉じた位置との間で移動可能である。嵌合表面がエントリーポートに挿入される場合、閉じた位置と開口位置との間でメディアの囲いが移動できるようにメディア保管エリアと、メディアの囲い及び嵌合表面が配置される。
【０００８】
本発明の別の態様において、撮像システムが提供される。撮像システムは、メディアを保管するためのエリアを有するハウジング手段と、嵌合表面とを含む。囲い手段は、ハウジング手段でメディアへのアクセスを可能にする位置と、ハウジング手段でメディアへのアクセスを妨害する位置との間で可動できるメディアを囲む手段を備えて提供される。保管されたメディア上で撮像操作を実行するための撮像手段が提供される。撮像手段は、ハウジング手段の嵌合表面を受け、ハウジング手段から保管されたメディアを抜き取り、抜き取られたメディアを使用して撮像操作を実行するように適応される。撮像手段がハウジング手段を受ける場合、メディアの囲い手段は、ハウジング手段へメディアのアクセスを可能にする位置と、ハウジング手段でメディアへのアクセスを妨害する位置との間で移動可能である。
【発明の効果】
【０００９】
本発明の効果は、カートリッジ又はビンのメディアサプライの利点を提供できるだけでなく、さらにユーザがメディアサプライを撮像デバイスから取り外さないで保管されたメディアへのアクセスを可能にする、メディアサプライ及び撮像システムを提供する。
【発明を実施するための最良の形態】
【００１０】
図１は、本発明と一致する撮像システム２０の第一実施態様を示す。図１の実施態様に示されるように、撮像システム２０は撮像デバイス２２と関連するメディアサプライ２４とを含む。図２、３及び４は、撮像デバイス２２の左正面図と、撮像デバイス２２の右正面図と、撮像デバイス２２の様々な機能的な構成部分を例示するブロック図とをそれぞれ示す。この実施態様において、撮像デバイス２２は、電子メモリ（示されていない）に記憶された画像を有するデジタルスチル又は動画のビデオカメラなどのデバイスを受けるために適応されたドッキングステーション２６を有する。インターフェース２８は、カメラメモリを備えたデータを交換するようにカメラで共同設計されたインターフェースエリア（示されていない）を嵌合するドッキングステーション２６で提供される。このような手法で、デジタル画像、音声信号、画像メタデータ及び制御信号などのデータは、カメラメモリと撮像デバイス２２のプロセッサ３２との間で交換できる。プロセッサ３２は、このデータ上で作用でき、さらにメモリ３４にこのデータを記録する。代替として、この実施態様において、撮像デバイス２２はまた、リンク３８の手法によって、パーソナルコンピュータ、パーソナルデジタルアシスタント、又は他のデバイス若しくは電子デバイスのネットワークなど別のデバイスとインターフェースできる。撮像デバイス２２はまた、ユーザの入力動作を受け、そこから操作的な指示を決定するために適応されるユーザコントロール４０を有する。表示要素４２は、撮像デバイス２２の操作状態に関する情報を提供する。さらに図４に示されるように、電源３０が提供され、撮像デバイス２２を作動するエネルギーを提供する。
【００１１】
図１乃至４に示されるように、撮像デバイス２２はメディアサプライ２４を受けるためのエントリーポート４４を有する。オプションのエントリーポートのドア４５はまた、メディアサプライ２４がエントリーポート４４にインストールされない場合にエントリーポート４４を閉じて、メディアサプライがエントリーポート４４にインストールされる場合にメディアサプライ２４を部分的に支持するように図１乃至４の実施態様に示される。トップローラー５２の共同設計されたセットにメディア５０を通過する、メディアサプライ２４からメディア５０を抜き取るように適用された１セットのボトムローラー４８を有する自動ローラーシステムは、撮像デバイス２２からメディア５０を移動し、メディアサプライ２４の最上面５４に移動するように適応された。ボトムローラー４８とトップローラー５２との間で、メディア５０は撮像ヘッド６０に露出された。図１乃至４の実施態様において、撮像ヘッド６０は、撮像ヘッド６０とメディア５０との間に位置されたドナー物質６２に対してヘッドを適用するサーマルプリンタヘッドを有する。ドナーメディア６２に不定に熱を印加することによって、着色剤及び／又は染料は、画像を形成するためにドナー物質６２からメディア５０まで移動される。この手法において、画像はメディア５０に形成できる。インクジェット又はレーザー印刷など印刷の他の形態が使用でき、そのような他の形態が使用されて、撮像ヘッド６０が印刷のそのような形態のために適応されることを認識するであろう。印刷のそのような他の形態は、従来からのものであり、画像形成においてドナー物質６２を使用してもしなくてもよい。ドナーシート、インク及び他のドナー物質などのドナー物質６２は、ドナー物質のサプライポート５６及びドナーサプライのドア５８の手法によって受けることができる。
【００１２】
図５は、図１及び４に示されるメディアサプライ２４の外観をより詳細に示す。図５に示されるように、メディアサプライ２４は、第一セクション７０と、そこに付加された任意の第二セクション７２とを有する。第一セクション７０は、そこに形成された嵌合表面７８を備える嵌合端部７６を有するハウジング７４を含む。第一セクション７２はまた、嵌合端部７６と反対の末端部を有する。
【００１３】
嵌合表面７８は、撮像デバイス２２のエントリーポート４４に挿入されるように形状化される。嵌合表面７８の形状は、エントリーポート４４の形状と一致するように適応される。図１乃至５に示された実施態様において、エントリーポート４４は、エントリーポート４４の周辺で位置したショルダー部分４７を含み、嵌合表面７８は、ショルダー部分４４と協働するように適応される。この協働は、撮像デバイス２２に関してメディアサプライ５０の横のアライメント及び／又は縦の位置づけを確立するために使用できる。これに関して、嵌合表面７８は、ショルダー部分４７を両横に嵌合する、横の嵌合表面８２及び８４を提供する。これは、メディアサプライ５０がエントリーポート４４を備えて横に整列することを保証するために支援し、さらにメディアサプライ２４のローラーを受ける開口部８６は、メディアサプライ２４がエントリーポート４４に挿入される場合にボトムローラー４８と整列することを保証するために支援する。
【００１４】
嵌合表面７８はまた、撮像デバイス２２に関してメディアサプライ２４の縦の位置づけを提供するショルダー４７と協働するように形状化される。これは、メディアサプライ２４の過挿入によって引き起こされる損傷から撮像デバイス２２を保護するように支援し、さらにメディアサプライ・トレイン２４が撮像デバイス２２に挿入される場合にボトムローラー４０がメディア５０と適切に整列されることを保証するために支援する。これを達成するために、嵌合表面７８はまた、メディアサプライ２４が撮像デバイス２２のエントリーポート４４に縦に挿入し、停止表面８８及び９０が、メディアサプライ２４がエントリーポート４４に突出できる範囲を定義するようにショルダー４７に縦に嵌合するように横の嵌合表面８２及び８４から延在する停止表面８８及び９０を提供する。この手法において、メディアサプライ２４が撮像デバイス２２にインストールされる場合にメディアサプライ２４の部分が撮像デバイス２２内にあり、メディアサプライ２４の部分が撮像デバイス２２の外部であると定義することはさらに可能である。
【００１５】
連結特徴も撮像デバイス２２へメディアサプライ２２を固定することを支援するために任意に提供できる。それら連結特徴の一つの実施態様が図２、３及び５に示される。図２及び３は、エントリーポート４４の表面９３及び９５に形成された係止の抑制９２及び９４を示す。図５を再度参照するに、メディアサプライ２４は、弾力性のタブ構造９６及び９８を備える嵌合表面７８を有して示される。タブ構造９７及び９９は、図５に示されるように、タブ構造９７の内部及びタブ９９の外部と一般的に同一である。図５の実施態様において、図５に示されるように、タブ構造９７の外部がタブ構造９８の外部と一般的に一致し、タブ構造９９の内部がタブ構造９７の内部と一般的に一致することを認識するであろう。メディアサプライ２４がエントリーポート４４に適切に挿入される場合に、係止の抑制９２及び９４に突出するように表面９３及び９５に沿って挿入される際、タブ構造９７及び９９が内部に弾力的に変形するように適応される。これは、撮像操作においてエントリーポート４４にメディアサプライ２４を固定するように支援する。他の同様の配置が使用できる。
【００１６】
図１乃至５に示す実施態様において、ハウジング７４は、メディア５０が挿入でき、保管エリア９８がメディア５０を保管するための開口部９６に近接する、開口部９６を定義する。メディアの囲い１００は、開口部９６に位置づけされる。これは、保管エリア９８にメディア５０を固定するように支援し、環境的又は機械的な損傷からメディア５０を保護するように適用できる。示された実施態様において、メディアの囲い１００は、外部表面１０４と、ハウジング７４で共に設計されたピボットアンカー１１０若しくは１１２に結合されたピボット部分１０６及び１０８とを有する。このピボット式の配置は、メディアの囲いを図１及び５に示された閉じた位置と開口位置との間で移動させる。図１に示されるように、操作段階でメディアサプライ５０が撮像デバイス２２に挿入された場合、メディアの囲い８４は一般的に閉じた位置に取り残される。これは、メディアサプライ２４の全体の外形を最小限にする。ハウジング７０にメディアの囲い８４を結合するための他のメカニズムは使用でき、それらのうちの幾つかは下記に詳細に示されて記述されるだろう。
【００１７】
この実施態様において、メディアの囲い１００がハウジング７４にピボット式に接続されるポイントは、表面８８及び９０を停止することによって、ハウジング５６の嵌合端５８から分離される。ショルダー４７の物理的な配置と、表面８８及び９０の停止と、並びにメディアの囲い１００とハウジング７４との間の結合は、メディアサプライ２４がエントリーポート４４に挿入される場合に、ハウジング７４と囲い１００との間の接続ポイントが撮像デバイス２２の外側で発生するように配置される。
【００１８】
図６は、エントリーポート４４にインストールされたメディアサプライ２４と、ハウジング７２のメディアサプライチャンバー９８に保管されたメディア５０にアクセスさせる開口位置に位置づけされた囲い１００とを備える図１乃至５の実施態様を示す。図４に示されるように、メディアの囲い１００は、図１に示された閉じた位置から図６に示された開口位置まで、ハウジング７４とメディアの囲い１００との間のピボット式嵌合のポイントでメディアの囲い１００のピボット式移動によって、移動される。このピボット式嵌合のポイントがエントリーポート４４の外部であるために、メディアサプライ２４が撮像デバイス２２に挿入される場合に、メディアの囲い１００は、撮像デバイス２２からメディアサプライ２４を取り外さないで、閉じた位置と開いた位置との間でピボット式に調節できる。これは、撮像デバイス２２のエントリーポート４４からメディアサプライ２４を取り外すことを必要とせずに、撮像デバイス２２のユーザがサプライチャンバー９８でのメディア５０のタイプ、構成及び配置を調節できる。これはまた、メディアサプライ２４のユーザがメディアサプライのビン及びカートリッジの両者の機能を実行させ、さらに上述のようにメディアサプライトレイの機能を実行させることができる。これは、撮像システム２０で使用される撮像デバイス２２のコスト及び全体の外形をかなり削減させる。
【００１９】
図１乃至６に示された実施態様において、メディアサプライ５０は、オプションの第二セクション７２をさらに有するように示される。図１乃至６に示されるように、第二セクション７２は末端８０でハウジング７４に結合される。示された実施態様において、第二セクション７２は、ハウジング７４の末端８０、任意に末端８０及びメディアの囲い８４の両者に嵌合するようにサイズ化されて形状化された内部チャンバー７５を定義する。例えば、これは、撮像段階において、囲い８４を保持する追加的な保護を固定するか又は提供するように使用できる。図１乃至６に示される実施態様において、第二セクション７２は、メディアサプライ２４の最上面５４を定義する囲い１００の最上面１２２と協働するように形状化された最上面１２０をさらに有する。上述したように、図１乃至７に示された実施態様において、メディアサプライ２４の最上面５４はエントリーポート４４から通過されるメディア５０を受け、かかるメディア７４は、一般的に、メディア５０が撮像デバイス２２によって撮像目的のために使用された後、エントリーポート４４から通過されるか、又はエントリーポート４４から突出される。メディアの位置づけ機能１２４は、第二セクション７２の最上面１２０に示される。メディアの位置づけ機能１２４は、メディア５０を受けるように形状化される。この実施態様において、メディアの位置づけ機能１２４は、エントリーポート４４から通過されたメディア５０は、特定の縦の空間内に含まれることを保証する停止を提供する。しかしながら、メディアの位置づけ機能１２４は、第一セクション７０又は第二セクション７２のいずれかの構成部分であり得、例えば、側面空間内で突出したメディア７４を制限することを支援するために使用でき得る。
【００２０】
本発明の別の実施態様において、内部チャンバー７５はまた、ハウジング７４の嵌合表面７８と結合されるようにサイズ化され、形状化される。この一つの例は、図７に示される。図７に示されるように、メディアサプライ５０が撮像デバイス２２から取り外される場合、第二部分７２は、嵌合表面７８及びメディア５０を保護するようにメディアサプライ５０の嵌合表面７８に結合でき得る。
【００２１】
図７の実施態様にさらに示されるように、第二部分７２は、嵌合表面７８に関して密封された囲いを形成するか、又は閉じた場合に密封を形成する嵌合表面７８と協働するような手法で定義される。これは、用法間の密封条件でメディアを維持するように容易に適用されるメディアサプライ２４を生成し、一方で、かかるメディアを含み、使用のためのメディアを調整するための容易にアクセス可能なシステムを提供する。そのような密封されたメディアサプライ２４は、特別なコーティング、感光性、感圧性若しくは感熱性及び／又は他の環境上の反応的な特性などの消滅し易い特質を有するか、あるいは密封されたメディアサプライ２４内に有用に含まれ得る、メディア５０の使用寿命の延長に特に使用でき得る。
【００２２】
図８ａ乃至８ｅは、メディアサプライ２４に結合される第二セクション７２を備えるメディアの囲い１００を有する、本発明のメディアサプライ２４の代替となる実施態様を示す。図８ａ及び８ｂは、閉じた位置のメディアの囲い１００を示す。この位置において、開口９０はメディアの囲いによって閉じられる。しかしながら、この実施態様において、第二部分７２は、ピボット式の嵌合１３０によって、メディアの囲い１００の最上面１２２に結合される。第二セクション７２が図８ａに示されるように位置づけされた場合、第二セクション７２は、内部の孔７５を定義する、表面１３４及び壁１３６を有する。内部の孔７５は、メディアサプライ２４の最上面５８の一部分を形成し、図８ａに示される位置の場合に撮像デバイス２２から突出されたメディア５０を受けるように定義される。しかしながら、表面１３４及び壁１３６はまた、嵌合表面７８に一致するのとは別に内部の孔７５を定義する。ピボット式の嵌合１３０及び１３２、表面１３４、並びに壁１３６の配置は、図８ａに示される位置から図８ｂに示される位置までの第二部分７２のピボット式移動は嵌合端７８でのローラーを受ける開口部８６を閉じるように定義される。図８ｂ及び８ｃは、図８ｂで示された位置に位置づけられた第二部分７２を備えるメディアサプライ２４の実施態様のそれぞれ上面図及び断面図である。図８ｅに示されるように、メディアの囲み１００はハウジング７４にピボット式に設置され、ハウジング７４は、上に記載した手法で定義され、メディアサプライ２４が撮像デバイスにインストールされた段階で、メディアの囲い１００は、閉じた位置と開いている位置との間で移動できる。
【００２３】
図９ａ乃至９ｄは、本発明と一致するメディアサプライのさらなる別の実施態様を示す。図９ａは、閉じた位置のかかる実施態様の分解図を示し、一方で、図９ｂ及び９ｃは、閉じた位置のかかる実施態様の左上正面からの斜視図及び左下正面からの斜視図を示す。この実施態様に示されるように、メディアサプライ２４は、上に記載のようなハウジング７４及びメディアの囲い１００を有する。しかしながら、この実施態様において、第二セクション７２は、ピボット１４０の手段によってハウジング７４にピボット式に接続される。第二セクション７２は、図９ｂ及び９ｃに示されるようにハウジング７４の嵌合端７６の嵌合表面７８又は図９ｄに示されるように末端８０のいずれかに結合されるように適用される内部チャンバー７５を有する。図９Ａ乃至９ｃに示されるように、第二セクション７２は、ピボット１４０が接続される、摺動スロット１４２を有する。これは、ピボット１４０に関してピボット式に移動するのと同様に、ユーザは第二セクション７２を縦方向に移動できる。第二セクション７４を内部チャンバー７５が嵌合表面７８に嵌合する位置から内部チャンバー７５が末端８０に嵌合する位置まで移動するために、ユーザは嵌合表面７８から内部チャンバー７５を解除するように摺動スロット１４２に沿って第二セクション７２を摺動する。これが一旦解除されると、第二セクション７４は、ハウジング７４の末端８０及び／又はメディアの囲い１００に直面する位置までピボット１４０に関してピボット式に移動でき、ユーザは、末端８０及び／又はメディアの囲い１００を第二セクション７４の内部チャンバー７５と嵌合するように摺動スロット１４０に沿って第二セクション７４を摺動できる。
【００２４】
前述の記載はプリンタを有する撮像デバイスを導いていることを認識するだろう。しかしながら、代替となる実施態様において、撮像デバイス２２は、インクジェットプリンタ、レーザージェットプリンタ、感圧媒体に画像を形成するように適用された圧力適用型プリンタ、光スキャナ、又はレーザースキャナ、あるいはメディアサプライ２４などのメディアサプライで保管でき得る形態でメディア５０を受けるために適用された、任意の別の画像の読み取り若しくは画像の形成デバイスを有する。上に記載の実施態様がピボット式の配置を使用するハウジング７４に結合されるメディアの囲い１００を示す一方で、他の配置が可能であることがさらに認識されるだろう。例えば、代替となる実施態様において、メディアの囲い１００は、開いた位置と閉じた位置との間で移動するためのハウジング７４に摺動式に設置できる。かかる種類のさらなる別の代替において、メディアの囲い１００は、閉じた位置を定義するために開口部を防御するハウジング７４に接続されて、開口位置を定義するために開口部から分離できる柔軟物質の形成ができる。
【００２５】
本発明は、本発明の特定の好ましい実施態様を参照して詳細に記載したが、本発明の趣旨及び範囲を逸脱せずに変更及び修正が成され得ることが理解される。
【図面の簡単な説明】
【００２６】
【図１】撮像デバイスとメディアサプライとを備える撮像システムの第一実施態様を示す図である。
【図２】図１の撮像デバイスを左正面から見た正面図である。
【図３】図１及び２で示される撮像デバイスを右正面から見た正面図である。
【図４】図１乃至３の撮像デバイスのブロック図である。
【図５】図１乃至４の一つの実施態様を示す図である。
【図６】撮像デバイスにインストールされたメディアサプライ及び開口位置のメディアサプライを備える撮像システムを示す図である。
【図７】第一セクションの嵌合表面に接続されたメディアサプライの第二セクションを備えるメディアサプライを示す図である。
【図８ａ】メディアサプライの別の実施態様を示す図である。
【図８ｂ】メディアサプライの別の実施態様を示す図である。
【図８ｃ】メディアサプライの別の実施態様を示す図である。
【図８ｄ】メディアサプライの別の実施態様を示す図である。
【図８ｅ】メディアサプライの別の実施態様を示す図である。
【図９ａ】メディアサプライの別の実施態様を示す図である。
【図９ｂ】メディアサプライの別の実施態様を示す図である。
【図９ｃ】メディアサプライの別の実施態様を示す図である。
【図９ｄ】メディアサプライの別の実施態様を示す図である。
【符号の説明】
【００２７】
２０    撮像システム
２２    撮像デバイス
２４    メディアサプライ
２６    ドッキングステーション
２８    インターフェース
３０    電源
３２    プロセッサ
３４    メモリ
３８    リンク
４０    ユーザコントロール
４２    表示要素
４４    エントリーポート
４５    エントリーポートのドア
４６    ローラーシステム
４７    ショルダー部分
４８    ボトムローラー
５０    メディア
５２    トップローラー
５４    最上面
５６    ドナー物質の供給ポート
５８    ドナーの供給ドア
６０    撮像ヘッド
６２    ドナー物質
７０    第一セクション
７２    第二セクション
７４    ハウジング
７５    内部チャンバー
７６    嵌合端
７８    嵌合表面
８０    末端
８２    嵌合表面
８４    嵌合表面
８６    ローラーを受ける開口部
８８    停止表面
９０    停止表面
９２    係止の抑制
９３    表面
９４    係止の抑制
９５    表面
９６    開口部
９７    タブ構造
９８    保管エリア
９９    タブ構造
１００  メディアの囲い
１０４  外部表面
１０６  ピボット部分
１０８  ピボット部分
１１０  ピボットアンカー
１１２  ピボットアンカー
１２０  第二セクションの最上面
１２２  メディアの囲いの最上面
１２４  メディアの位置づけ機能
１３０  ピボット式嵌合
１３２  ピボット式嵌合
１３４  表面
１３６  壁
１４０  ピボット
１４２  第二セクションの摺動スロット
【図１】
2004262655.tif 000003
【図２】
2004262655.tif 000004
【図３】
2004262655.tif 000005
【図４】
2004262655.tif 000006
【図５】
2004262655.tif 000007
【図６】
2004262655.tif 000008
【図７】
2004262655.tif 000009
【図８ａ】
2004262655.tif 000010
【図８ｂ】
2004262655.tif 000011
【図８ｃ】
2004262655.tif 000012
【図８ｄ】
2004262655.tif 000013
【図８ｅ】
2004262655.tif 000014
【図９ａ】
2004262655.tif 000015
【図９ｂ】
2004262655.tif 000016
【図９ｃ】
2004262655.tif 000017
【図９ｄ】
2004262655.tif 000018